(57)【要約】【課題】測定結果の表示態様が異なる機械や検査機、測定機器が混在する場合であっても、これらの機器に大幅な変更を加えることなく、測定データを収集する負担を軽減して、収集した測定データを統合的に管理できるデータ管理システムを提供する。【解決手段】表示手段１２ａ，１２ｂは、各機器（１１ａ，１１ｂ）で測定された測定結果を表示する。表示画像抽出手段１３ａ，１３ｂは、表示手段１２ａ，１２ｂに表示される測定結果を表す表示画像を抽出する。抽出ルール記憶手段１５は、各機器の測定結果を表す表示画像内の位置ごとに、その位置に表示される画像から管理データを抽出する方法を規定した抽出ルールを記憶する。管理データ抽出手段１４は、表示画像抽出手段１３ａ，１３ｂが抽出した表示画像から、抽出ルールに基づいて管理データを抽出する。【選択図】図１
2013161395.tif 000002
【特許請求の範囲】
【請求項１】
機器によって測定された各データを管理するデータ管理システムであって、
前記機器によって測定された測定結果を表示する表示手段と、
前記表示手段に表示される測定結果を表す表示画像を抽出する表示画像抽出手段と、
前記各機器の測定結果を表す表示画像内の位置ごとに、当該位置に表示される画像から管理データを抽出する方法を規定した抽出ルールを記憶する抽出ルール記憶手段と、
前記表示画像抽出手段が抽出した表示画像から、前記抽出ルールに基づいて管理データを抽出する管理データ抽出手段とを備えた
ことを特徴とするデータ管理システム。
【請求項２】
抽出ルール記憶手段は、表示画像内の位置ごとに、当該位置に表示される画像に対して行う画像処理を規定した抽出ルールを記憶し、
管理データ抽出手段は、前記抽出ルールに規定された位置に表示される画像に対して、対応する前記画像処理を行うことにより管理データを抽出する
請求項１記載のデータ管理システム。
【請求項３】
抽出ルール記憶手段は、表示画像内の位置ごとに、当該位置に表示される画像に基づいて抽出される管理データ対して行う演算処理を規定した抽出ルールを記憶し、
管理データ抽出手段は、前記抽出ルールに規定された位置に表示される画像から抽出した管理データに対して、対応する前記演算処理を行う
請求項１または請求項２記載のデータ管理システム。
【請求項４】
抽出ルール記憶手段は、表示画像内の位置ごとに、当該位置に表示される画像に基づいて抽出されるデータの保存方法を規定した抽出ルールを記憶し、
管理データ抽出手段は、前記抽出ルールに規定された位置に表示される画像から抽出した管理データを、対応する前記保存方法に基づいて保存する
請求項１から請求項３のうちのいずれか１項に記載のデータ管理システム。
【請求項５】
抽出ルール記憶手段は、表示画像内の位置ごとに、当該位置に表示される画像からデータの抽出を行うタイミングを規定した抽出ルールを記憶し、
管理データ抽出手段は、前記抽出ルールに規定された位置に表示される画像から、対応する前記タイミングで管理データを抽出する
請求項１から請求項４のうちのいずれか１項に記載のデータ管理システム。
【請求項６】
表示画像抽出手段は、表示手段に表示された測定結果を撮影することにより表示画像を抽出する
請求項１から請求項５のうちのいずれか１項に記載のデータ管理システム。
【請求項７】
表示画像抽出手段は、表示手段へ通知される映像信号をキャプチャすることにより表示画像を抽出する
請求項１から請求項５のうちのいずれか１項に記載のデータ管理システム。
【請求項８】
測定結果を表示手段に表示する機器によって測定された各管理データを抽出する管理データ抽出方法であって、
前記表示手段に表示される測定結果を表す表示画像を前記機器ごとに抽出し、
前記各機器の測定結果を表す表示画像内の位置ごとに当該位置に表示される画像から管理データを抽出する方法を規定した抽出ルールに基づいて、抽出された表示画像から管理データを抽出する
ことを特徴とする管理データ抽出方法。
【請求項９】
測定結果を表示手段に表示する機器によって測定された各管理データを抽出するコンピュータに適用される管理データ抽出プログラムであって、
前記コンピュータに、
前記表示手段に表示される測定結果を表す表示画像を前記機器ごとに抽出する表示画像抽出処理、および、
前記各機器の測定結果を表す表示画像内の位置ごとに当該位置に表示される画像から管理データを抽出する方法を規定した抽出ルールに基づいて、抽出された表示画像から管理データを抽出する管理データ抽出処理
を実行させるための管理データ抽出プログラム。
【発明の詳細な説明】
【技術分野】
【０００１】
本発明は、機器により測定されたデータを管理するデータ管理システム、機器により測定された管理データを抽出する管理データ抽出方法および管理データ抽出プログラムに関する。
【背景技術】
【０００２】
製品の生産ラインなどには、通常、製品の製造に用いられる機械、各工程の品質を検査する検査機、各工程の品質を測定する測定機器などが設けられる。例えば、ガラス基板を製造する生産ラインには、切断装置、研削装置、研磨装置、洗浄装置などの機械や、表面粗さを測定する測定装置、真円度を測定する測定装置などの測定機器などが設けられる。
【０００３】
これらの機械や検査機、測定機器は、一般に測定結果を表示する視認機構を備えるため、管理者は、表示される測定結果を参照することで、製品の品質等をリアルタイムに確認することができる。
【０００４】
また、これらの機械や検査機、測定機器から得られる測定結果は、例えば、モニタなどに表示されたり、装置内の記録メディア（例えば、ハードディスクドライブや、メモリカードなど）に記録されたり、外部の装置に送信されたりする。
【０００５】
一方、測定結果は、品質改善を図るためのデータとしても収集される。例えば、検査機や測定機器が表示する測定結果を作業者が逐次記録したり、検査機や測定機器が表示する内容を、検査機や測定機器自身がメモリ等に保存したりすることで、測定データが収集される。
【０００６】
また、特許文献１には、画面に表示される映像（画像）をキャプチャする画像処理装置が記載されている。特許文献１に記載された画像処理装置は、表示画面に表示されている画像を形成する表示用信号（画像信号）をデジタルデータとして常時取り込める状態にしておき、視聴者等によって画面情報を取得する指示が行われると、表示画面に表示されている画像を画像データとして取り込む。このようにして取り込まれた画像データは、例えば、外部メモリなどに画像ファイルとして記録される。
【先行技術文献】
【特許文献】
【０００７】
【特許文献１】特許４２９２３９９号（段落００６４，００７４、図１）
【発明の概要】
【発明が解決しようとする課題】
【０００８】
生産ライン等における各工程の品質は、それ以前の工程の影響を受ける。そのため、各工程で測定した測定データのみを用いて製品の品質を管理するのは十分ではなく、生産ライン全体の測定データを用いて統合的に製品の品質を管理することが必要になる。すなわち、前後の工程の状況を反映した品質や、ライン間の状況の品質を比較するような場合、上位サーバなどでこれらのデータを統合的に管理する必要がある。
【０００９】
しかし、各工程で検査される内容や測定される内容は様々である。すなわち、各工程で用いられる機械や検査機、測定機器は異なるため、測定結果の表示態様や表示される測定結果の内容も異なるのが一般的である。
【００１０】
製品の製造に用いられる機械や検査機、測定機器は、その目的や用途によって得られる結果が異なる。例えば、重量計を例に挙げると、測定結果をキログラムで表示する機器もあれば、グラムで表示する機器もある。また、測定結果を絶対量で表示する機器だけでなく、基準になる重量からの差で表示する機器も存在する。
【００１１】
また、一般に、各機器が備える機能も異なる。具体的には、測定結果を表示する機能のみを有する機器や、測定結果を記憶する機能を有する機器、測定結果を外部に出力する機能を有する機器など様々である。
【００１２】
また、例えば、測定結果を表示する機能のみ有する検査機や測定機器によって測定された測定データを収集しようとする場合、管理者が表示内容を読み取って測定データを手書きで記録したり、読み取った表示内容をＰＣ（Personal computer ）へ手入力したりする必要がある。この場合、測定データの収集に手間や時間を要するうえ、ミスも多く発生してしまう。
【００１３】
特許文献１に記載された画像処理装置を利用して測定データを収集する場合、表示画面に表示されているフォーマットで画像データを抽出することができる。しかし、例えば、異なるフォーマットの表示画面に測定結果を表示する検査機や測定機器が生産ラインに混在している場合、抽出された各画像データを管理者がＰＣ上で編集する作業が必要になる。このような場合も、測定データの収集に手間や時間を要してしまうという問題がある。
【００１４】
一方、測定データを統一したフォーマットで収集できるように、各機器に、測定データを自動収集する機能や測定データを統合的に管理できる機能を追加することも考えられる。しかし、各機器にこのような機能を追加するには、装置メーカへの改造依頼や、設備ごとに大幅な改造が必要になる。よって、統合的に品質を管理する際には、測定結果の表示態様が異なる検査機や測定機器が混在する場合であっても、各検査機や測定機器に大幅な変更を加えずに統合的に測定データを管理できることが望ましい。
【００１５】
そこで、本発明は、測定結果の表示態様が異なる機械や検査機、測定機器が混在する場合であっても、これらの機器に大幅な変更を加えることなく、測定データを収集する負担を軽減して、収集した測定データを統合的に管理できるデータ管理システムを提供することを目的とする。
【課題を解決するための手段】
【００１６】
本発明によるデータ管理システムは、機器によって測定された各データを管理するデータ管理システムであって、機器によって測定された測定結果を表示する表示手段と、表示手段に表示される測定結果を表す表示画像を抽出する表示画像抽出手段と、各機器の測定結果を表す表示画像内の位置ごとに、その位置に表示される画像から管理データを抽出する方法を規定した抽出ルールを記憶する抽出ルール記憶手段と、表示画像抽出手段が抽出した表示画像から、抽出ルールに基づいて管理データを抽出する管理データ抽出手段とを備えたことを特徴とする。
【００１７】
例えば、抽出ルール記憶手段が、表示画像内の位置ごとに、その位置に表示される画像に対して行う画像処理を規定した抽出ルールを記憶し、管理データ抽出手段が、抽出ルールに規定された位置に表示される画像に対して、対応する画像処理を行うことにより管理データを抽出してもよい。
【００１８】
また、例えば、抽出ルール記憶手段が、表示画像内の位置ごとに、その位置に表示される画像に基づいて抽出される管理データ対して行う演算処理を規定した抽出ルールを記憶し、管理データ抽出手段が、抽出ルールに規定された位置に表示される画像から抽出した管理データに対して、対応する演算処理を行ってもよい。
【００１９】
また、例えば、抽出ルール記憶手段が、表示画像内の位置ごとに、その位置に表示される画像に基づいて抽出されるデータの保存方法を規定した抽出ルールを記憶し、管理データ抽出手段が、抽出ルールに規定された位置に表示される画像から抽出した管理データを、対応する保存方法に基づいて保存してもよい。
【００２０】
また、例えば、抽出ルール記憶手段が、表示画像内の位置ごとに、その位置に表示される画像からデータの抽出を行うタイミングを規定した抽出ルールを記憶し、管理データ抽出手段が、抽出ルールに規定された位置に表示される画像から、対応するタイミングで管理データを抽出してもよい。
【００２１】
例えば、表示画像抽出手段は、表示手段に表示された測定結果を撮影することにより表示画像を抽出してもよい。また、例えば、表示画像抽出手段は、表示手段へ通知される映像信号をキャプチャすることにより表示画像を抽出してもよい。
【００２２】
本発明による管理データ抽出方法は、測定結果を表示手段に表示する機器によって測定された各管理データを抽出する管理データ抽出方法であって、表示手段に表示される測定結果を表す表示画像を機器ごとに抽出し、各機器の測定結果を表す表示画像内の位置ごとにその位置に表示される画像から管理データを抽出する方法を規定した抽出ルールに基づいて、抽出された表示画像から管理データを抽出することを特徴とする。
【００２３】
本発明による管理データ抽出プログラムは、測定結果を表示手段に表示する機器によって測定された各管理データを抽出するコンピュータに適用される管理データ抽出プログラムであって、コンピュータに、表示手段に表示される測定結果を表す表示画像を機器ごとに抽出する表示画像抽出処理、および、各機器の測定結果を表す表示画像内の位置ごとにその位置に表示される画像から管理データを抽出する方法を規定した抽出ルールに基づいて、抽出された表示画像から管理データを抽出する管理データ抽出処理を実行させることを特徴とする。
【発明の効果】
【００２４】
本発明によれば、測定結果の表示態様が異なる機械や検査機、測定機器が混在する場合であっても、これらの機器に大幅な変更を加えることなく、測定データを収集する負担を軽減して、収集した測定データを統合的に管理できる。
【図面の簡単な説明】
【００２５】
【図１】本発明によるデータ管理システムの一実施形態の構成例を示すブロック図。
【図２】検査・測定機器と表示手段との関係の例を示す説明図。
【図３】表示画像抽出手段の例を示す説明図。
【図４】表示画像抽出手段の他の例を示す説明図。
【図５】表示画像抽出手段のさらに他の例を示す説明図。
【図６】表示画像抽出手段が抽出した表示画像の例を示す説明図。
【図７】抽出ルールの設定項目例を示す説明図。
【図８】表示画像から抽出された管理データの例を示す説明図。
【図９】データ管理システムの動作例を示すフローチャート。
【図１０】同じ種類の検査・測定機器による測定結果を収集する構成の例を示す説明図。
【図１１】検査・測定機器に専用の測定結果出力モニタが接続されている場合の例を示す説明図。
【図１２】検査・測定機器に専用の測定結果出力モニタが接続されている場合の他の例を示す説明図。
【発明を実施するための形態】
【００２６】
以下、本発明の実施形態を図面を参照して説明する。
【００２７】
図１は、本発明によるデータ管理システムの一実施形態の構成例を示すブロック図である。本実施形態のデータ管理システムは、検査・測定機器１１ａ，１１ｂと、表示手段１２ａ，１２ｂと、表示画像抽出手段１３ａ，１３ｂと、管理データ抽出手段１４と、抽出ルール記憶手段１５とを備えている。
【００２８】
検査・測定機器１１ａ，１１ｂは、製品の品質や製品の製造数など、対象とするものの量の大きさを測ったり、所定の事象に該当するか否かを検査したりする機器である。ただし、検査・測定機器１１ａ，１１ｂが量の大きさを測る対象は、製品に限られない。本発明において機器とは、データを出力する機器であればよく、製品の生産ラインなどに設けられる、製品を製造する機械（例えば、切断装置、研削装置、研磨装置、洗浄装置、など）、各工程の品質を検査する検査機、各工程の品質を測定する測定機器などが含まれる。
【００２９】
また、検査・測定機器１１ａ，１１ｂが測る対象は、例えば、温度や湿度などの環境情報であってもよい。すなわち、検査・測定機器１１ａ，１１ｂが測る対象は、センサなどによって検知できるものであれば、どのようなものでもよい。以下の説明では、検査・測定機器１１ａ，１１ｂの測定結果には、測定された量の大きさと、測定結果に基づいて判定された検査結果のいずれも含まれるものとする。
【００３０】
表示手段１２ａ，１２ｂは、検査・測定機器１１ａ，１１ｂで測定された測定結果を表示する。図１に示す例では、表示手段１２ａが、検査・測定機器１１ａによって測定された結果を表示し、表示手段１２ｂが、検査・測定機器１１ｂによって測定された結果を表示することを示す。このように、本実施形態の検査・測定機器１１ａ，１１ｂは、何らかの方法で測定結果を表示する視認機構を備えているものとする。視認機構は、検査・測定機器１１ａ，１１ｂと一体の装置として形成されていてもよく、検査・測定機器１１ａ，１１ｂとは別の装置として実現されていてもよい。
【００３１】
また、表示手段１２ａ，１２ｂは、ディスプレイ装置などで実現されていてもよく、各検査・測定機器に応じて作成された専用の表示装置で実現されていてもよい。
【００３２】
図２は、検査・測定機器と表示手段との関係の例を示す説明図である。図２（ａ）に示す例では、検査・測定機器１１ａによって測定された測定結果が、例えば、ＶＧＡ（Video Graphics Array）ビデオ信号を介してモニタである表示手段１２ａに表示されることを示している。また、図２（ｂ）に示す例では、検査・測定機器１１ｂに一体として形成された専用の表示装置である表示手段１２ｂに表示結果が表示されることを示している。ただし、検査・測定機器と表示手段との関係は、図２に示す例に限定されない。
【００３３】
表示画像抽出手段１３ａ，１３ｂは、表示手段１２ａ，１２ｂに表示される測定結果を表す表示画像を抽出する。上述するように、表示手段の態様は様々である。そこで、表示画像抽出手段１３ａ，１３ｂは、表示手段１２ａ，１２ｂの態様に応じて設けられる。なお、表示画像抽出手段１３ａ，１３ｂは、抽出した表示画像がどの検査・測定機器による測定結果か識別する情報（以下、表示画像識別情報）を、抽出した表示画像と共に管理する。この表示画像識別情報を管理しておくことで、後述する管理データ抽出手段１４が、表示画像に対して行う画像処理を特定できるようになる。
【００３４】
なお、本実施形態では、データ管理システムが、検査・測定機器、表示手段および表示画像抽出手段をそれぞれ２つずつ備えている場合について説明する。ただし、検査・測定機器、表示手段および表示画像抽出手段の数は２つに限定されない。検査・測定機器、表示手段および表示画像抽出手段は、それぞれ１つずつであってもよいし、それぞれ３つ以上であってもよい。
【００３５】
図３は、表示画像抽出手段の例を示す説明図である。図３に示す例では、表示画像抽出手段として、ＶＧＡ信号に基づいて画像処理を行う画像処理ユニットが用いられていることを示す。具体的には、検査・測定機器１１ａが表示手段１２ａに表示する測定結果としてＶＧＡ信号を出力すると、ＶＧＡスプリッタ１６によってＶＧＡ信号が分岐され、画像処理ユニット１８にＶＧＡ信号が入力される。画像処理ユニット１８は、入力されたＶＧＡ信号から、表示手段１２ａに表示される測定結果を表す表示画像を抽出する。すなわち、画像処理ユニット１８で表示画像抽出手段が行う処理が実施される。
【００３６】
図４は、表示画像抽出手段の他の例を示す説明図である。図４に示す例では、表示画像抽出手段として、表示結果を撮影するカメラが用いられていることを示す。具体的には、検査・測定機器１１ｂが表示手段１２ｂに直接測定結果を表示する場合、カメラ（表示画像抽出手段１３ｂ）が表示手段１２ｂに表示される測定結果を表す表示画像を抽出（撮影）する。
【００３７】
図５は、表示画像抽出手段のさらに他の例を示す説明図である。図５に示す例では、検査・測定機器にコンピュータが搭載され、そのコンピュータによって測定結果の出力が制御されている場合に、表示画像抽出手段として、キャプチャボードが用いられていることを示す。具体的には、検査・測定機器１１ｃがコンピュータ１７に内蔵されたキャプチャボード（表示画像抽出手段１３ｃ）に測定結果を入力すると、キャプチャボードが入力された信号から表示画像を抽出し、表示手段１２ｃにその表示画像を出力させる。
【００３８】
なお、図５に示す例では、コンピュータ１７が備える表示手段１２ｃに測定結果が表示される場合を示しているが、コンピュータ１７は、別のモニタ（図示せず）に測定結果を表示するようにしてもよい。
【００３９】
図６は、表示画像抽出手段が抽出した表示画像の例を示す説明図である。表示画像には、数値情報や文字情報、オン／オフを示すデジタル情報や連続した量を示すアナログ情報、所定の事象に該当するか否かをランプの点灯の有無で表示する情報など、様々な情報が含まれる。例えば、図６に例示する表示画像の領域２１には、文字情報である「生産数」と、数値情報である「１７５２９」とが含まれていることを示す。図６に例示するように、表示画像は、複数の情報を含んでいてもよく、単一の情報のみ含んでいてもよい。
【００４０】
抽出ルール記憶手段１５は、各検査・測定機器の測定結果を表す表示画像内の位置ごとに、その位置に表示される画像から管理データを抽出する方法を規定したルール（以下、抽出ルールと記す。）を記憶する。なお、ここでの位置とは、表示画像内の一定の領域を特定する情報を意味する。
【００４１】
例えば、図６に例示する領域２１の表示画像は、生産数を表す数値情報が表示された画像である。この場合、抽出ルール記憶手段１５は、領域２１の表示内容である「生産数」を示す表示画像から、数値を抽出する画像処理を行うことを規定した抽出ルールを記憶する。
【００４２】
なお、図６に例示する領域２１の表示画像から、数値だけでなく単位を表す「個」を文字情報として抽出したい場合も想定される。この場合、抽出ルール記憶手段１５は、領域２１の表示内容である「生産数」を示す表示画像から、数値および単位を抽出する画像処理を行うことを規定した抽出ルールを記憶すればよい。
【００４３】
さらに、図６に例示する領域２１の表示画像から抽出される数値に対して、例えば、目標数量からの進捗率を求めたい場合も想定される。この場合、抽出ルール記憶手段１５は、進捗率を算出するための演算処理を上記抽出ルールに加えて記憶すればよい。
【００４４】
図７は、抽出ルール記憶手段１５に設定される抽出ルールの設定項目例を示す説明図である。なお、抽出ルールとして設定される設定項目は、図７に例示する内容に限定されない。抽出ルールには、表示画像内の表示位置ごとに、その位置に表示される画像からデータを抽出する方法を特定可能な内容が含まれていればよい。以下、図７に例示する設定項目として設定される内容を説明する。
【００４５】
「装置ＩＤ」は、表示画像が示す測定結果を表示した検査・測定機器を識別する識別子である。「装置ＩＤ」項目には、例えば、装置のシリアルナンバーや設備名などが設定される。なお、この「装置ＩＤ」を上述する表示画像識別情報とすることで、後述する管理データ抽出手段１４が、表示画像に対する抽出ルールを特定できるようになる。
【００４６】
「読み取り枠の指定」項目には、表示画像中の位置が設定される。具体的には、「読み取り枠の指定」項目には、画像処理する範囲を示す情報や、矩形，丸形，異型など範囲の形状を示す情報が設定される。他にも、「読み取り枠の指定」項目には、読み取り枠の位置がシフトするか否（シフトの有無）か、また、シフトする場合、シフトする方向及びシフト量が設定される。
【００４７】
「読み取り内容」項目には、対象とする画像に対して行われる画像処理の内容が設定される。具体的には、「読み取り内容」項目には、「数値」，「色」，「文字」，「数値と文字」，「パターンマッチング」，「特殊処理」などを示す情報が設定される。後述する管理データ抽出手段１４は、この「読み取り内容」項目に設定された情報に基づいて、画像処理を行う。なお、この「読み取り内容」項目に、具体的な処理内容を設定してもよい。その場合、後述する管理データ抽出手段１４は、この「読み取り内容」項目に設定された処理内容に基づいて画像処理を行う。
【００４８】
以下、「読み取り内容」項目に設定されている内容に応じた処理例を説明する。「読み取り内容」項目に「数値」と設定されていた場合、表示画像から数値が読み取れるように画像処理が行われる。「読み取り内容」項目に「色」と設定されていた場合、色の判別ができるように画像処理が行われる。「読み取り内容」項目に「文字」と設定されていた場合、文字が読み取れるように画像処理が行われる。「読み取り内容」項目に「数値と文字」と設定されていた場合、数値と文字の両方が読み取れるように画像処理が行われる。「読み取り内容」項目に「パターンマッチング」と設定されていた場合、予め登録されたどのパターンに一致するか否かを判定する画像処理が行われる。
【００４９】
また、「読み取り内容」項目に、それ以外の内容を設定することも可能である。例えば、アナログメータ値やアナログメータの形状などが表示された表示画像から管理データを抽出する場合、「読み取り内容」項目には、各アナログメータが示す値に応じた特殊処理を設定すればよい。
【００５０】
例えば、アナログメータが表示されるエリアを分割し、分割したエリアにメータの針が存在するか否かをパターンマッチングにより判断すれば、分割したエリアが示す値をアナログメータの値として取得することができる。また、アナログメータが示す値ごとの画像を予め準備しておき、その画像と表示画像とをパターンマッチングさせることによっても、アナログメータの値を取得できる。
【００５１】
「読み取りタイミング」項目には、表示画像から管理データを抽出する（データ化する）タイミングが設定される。具体的には、「読み取りタイミング」項目には、外部より管理データの抽出タイミングが指示されることを示す「外部トリガ」や、指定時間ごとに管理データを抽出することを示す「タイマ」、連続で読み取っている間に結果が変化したときに管理データを抽出することを示す「変動」などが設定される。
【００５２】
このように、表示画像内の位置ごとに、その位置に表示される画像からデータの抽出を行うタイミングを規定した抽出ルールを抽出ルール記憶手段１５に記憶しておくことで、後述する管理データ抽出手段１４によって、抽出ルールに規定された位置に表示される画像から、対応するタイミングで管理データが抽出される。よって、予め適切なタイミングを抽出ルールとして規定しておけば、必要なデータのみを収集することが可能になる。
【００５３】
「読み取り処理」項目には、表示画像から抽出した管理データに対して行う演算処理を示す内容が設定される。具体的には、「読み取り処理」項目には、管理データを指定回数抽出した後、抽出された管理データの平均化処理を行うことを示す「平均化処理」、管理データを指定回数抽出した後、抽出された管理データの中で最も多く抽出された値を特定することを示す「真値抽出」などが設定される。
【００５４】
このように、表示画像内の位置ごとに、その位置に表示される画像に基づいて抽出されるデータ対して行う演算処理を規定した抽出ルールを抽出ルール記憶手段１５に記憶しておくことで、後述する管理データ抽出手段１４によって、抽出ルールに規定された位置に表示される画像から抽出したデータに対して、対応する演算処理が行われる。よって、抽出したデータを統一のフォーマットに変換する処理を抽出ルールとして規定しておけば、測定データを収集する負担を軽減しつつ、収集した測定データを統合的に管理することができるようになる。
【００５５】
また、表示手段に表示される測定結果は、測定対象によっては、表示される内容が安定せずに時々刻々と変化する場合がある。このような場合であっても、平均化処理や真値抽出処理を行うことで、測定結果を抽出する精度を向上できる。
【００５６】
「データ保存」項目には、抽出したデータの保存方法を示す内容が設定される。具体的には、「データ保存」項目には、画像処理完了と同時にデータを保存することを示す「読み取り直後」、読み取ったデータをメモリに一時的に保存しておき、外部トリガに基づいてデータを保存することを示す「外部トリガ」、指定時間にデータを保存することを示す「タイマ」、データの保存先（例えば、メディア、メモリ、フォルダなど）を示す「保存先指定」、ＣＳＶ形式などデータの保存形式を示す「保存形式指定」、保存時に情報を付加することを示す「不可有無」などが設定される。なお、「保存形式指定」を示す情報をＳＱＬを用いて設定してもよい。また、保存時に付加する情報の例として、例えば、時間や製品ロット番号などが挙げられる。また、「不可有無」を示す情報に、情報を付加するか否かの判断に用いられる条件を設定してもよい。
【００５７】
このように、表示画像内の位置ごとに、その位置に表示される画像に基づいて抽出されるデータの保存方法を規定した抽出ルールを抽出ルール記憶手段１５に記憶しておくことで、後述する管理データ抽出手段１４によって、抽出ルールに規定された位置に表示される画像から抽出したデータが、対応する保存方法に基づいて保存される。よって、測定データを収集する負担を軽減しつつ、収集した測定データを統合的に管理することができるようになる。
【００５８】
「単位」項目には、抽出したデータに付加する単位を示す情報が設定される。具体的には、「単位」項目には、予め定めた中から単位を選択することを示す「選択指定」、ユーザ等によって入力される単位を使用することを示す「入力指定」などが設定される。
【００５９】
「計算」項目には、抽出したデータを加工する場合に用いられる演算処理が設定される。「計算」項目には、例えば、抽出したデータの単位を統一する計算式や、進捗率の計算式などが設定される。
【００６０】
「エラー時処理」項目には、読み取りエラーが発生した場合の処理が設定される。具体的には、「エラー時処理」には、読み取りエラーが発生した場合のリトライ回数や、アラーム処理などを示す情報が設定される。
【００６１】
「外部入力」項目には、外部からの入力に用いられる方法や入力される内容が設定される。外部からの入力に用いられる方法には、例えば、キーボードによる手入力やバーコード入力などが挙げられる。具体的には、コメントや製品ロット番号などがキーボードを利用して手入力され、製品ロット番号や作業者情報などがバーコードを利用して入力される。また、外部との通信が行われる場合、通信設定の内容も「外部入力」項目に設定される。
【００６２】
上述するように、抽出ルール記憶手段１５に設定される抽出ルールは、これらの内容に限定されない。例えば、特殊な画像処理条件を含むなど、装置毎に必要な設定がある場合、装置ごとに抽出ルールを設定してもよい。なお、抽出ルール記憶手段１５は、例えば、磁気ディスク等により実現される。
【００６３】
管理データ抽出手段１４は、抽出ルール記憶手段１５に設定された抽出ルールに基づいて、表示画像抽出手段１３ａ，１３ｂが抽出した表示画像から管理データを抽出する。具体的には、管理データ抽出手段１４は、管理データを抽出する対象の表示画像と共に管理された表示画像識別情報をキーとして、抽出ルール記憶手段１５に設定された抽出ルールを特定する。以後、管理データ抽出手段１４は、設定された抽出ルールに基づいて表示画像から管理データを抽出する。
【００６４】
管理データ抽出手段１４は、例えば、所定の領域の画像に対して抽出ルールに基づく画像処理を行うことで、検査・測定機器１１ａ，１１ｂが測定結果として表示した情報を抽出できる。そして、管理データ抽出手段１４は、抽出した管理データを、データベース（図示せず）や、外部の装置（図示せず）に送信する。
【００６５】
図８は、表示画像から抽出された管理データの例を示す説明図である。図８に示す例では、所定の期間ごと（１０秒程度おき）に、２種類のデータ（ＤＡＴＡ＿Ａ，ＤＡＴＡ＿Ｂ）が抽出され、データベースに記憶されたことを示す。
【００６６】
表示画像抽出手段１３ａ，１３ｂと、管理データ抽出手段１４とは、プログラム（管理データ抽出プログラム）に従って動作するコンピュータのＣＰＵによって実現される。例えば、プログラムは、コンピュータの記憶部（図示せず）に記憶され、ＣＰＵは、そのプログラムを読み込み、プログラムに従って、表示画像抽出手段１３ａ，１３ｂおよび管理データ抽出手段１４として動作してもよい。また、表示画像抽出手段１３ａ，１３ｂと、管理データ抽出手段１４とは、それぞれが専用のハードウェアで実現されていてもよい。
【００６７】
次に、本実施形態のデータ管理システムの動作を説明する。図９は、本実施形態のデータ管理システムの動作例を示すフローチャートである。初期状態では、管理データ抽出手段１４は、表示画像抽出手段１３ａ，１３ｂが抽出した表示画像を読み取るタイミングを待っている（ステップＳ１）。その後、例えば、図７に例示する抽出ルールの「読み取りタイミング」に設定された条件（読み取り条件）を満たしたタイミングで、管理データ抽出手段１４は、表示画像を取得する（ステップＳ２）。管理データ抽出手段１４は、例えば、図７に例示する抽出ルールの「読み取り枠の指定」に設定された領域の表示画像を取得する。
【００６８】
管理データ抽出手段１４は、取得した領域の表示画像について、指定された処理条件に基づいて画像処理を行う（ステップＳ３）。管理データ抽出手段１４は、例えば、図７に例示する抽出ルールの「読み取り内容」に設定された内容の画像処理を行う。
【００６９】
管理データ抽出手段１４は、画像処理を行った結果、表示画像から正しくデータが読み取れたか否かを判定する（ステップＳ４）。データが正しく読み取れていない場合（ステップＳ４におけるＮｏ）、管理データ抽出手段１４は、エラー処理を行い（ステップＳ５）、ステップＳ２以降の処理を繰り返す。管理データ抽出手段１４は、例えば、図７に例示する抽出ルールの「エラー時処理」に設定された内容の処理を行う。
【００７０】
一方、データが正しく読み取れた場合（ステップＳ４におけるＹｅｓ）、管理データ抽出手段１４は、指定された条件に基づく演算処理を行う（ステップＳ６）。管理データ抽出手段１４は、例えば、図７に例示する抽出ルールの「読み取り処理」に設定された内容の演算処理を行う。このとき、管理データ抽出手段１４は、データを指定回数抽出した後、抽出された管理データの中で最も多く抽出された値を管理データとして特定すれば、データの読み取り精度を向上できるため、より好ましい。
【００７１】
そして、管理データ抽出手段１４は、演算処理が行われたデータをメモリ等に一時保存する（ステップＳ７）。なお、一時保存する必要がない場合、管理データ抽出手段１４は、ステップＳ７の処理を行わなくてもよい。
【００７２】
管理データ抽出手段１４は、演算結果のデータと外部から入力されたデータとを結合させる処理を行う（ステップＳ８）。管理データ抽出手段１４は、例えば、図７に例示する抽出ルールの「外部入力」に設定された内容に基づいて結合処理を行う。
【００７３】
その後、管理データ抽出手段１４は、必要に応じて処理結果をモニタ等に表示する（ステップＳ９）。また、管理データ抽出手段１４は、処理結果をサーバなどに保存する（ステップＳ１０）。
【００７４】
以上のように、本実施形態によれば、表示画像抽出手段１３ａ，１３ｂが、表示手段１２ａ，１２ｂに表示される測定結果を表す表示画像を検査・測定機器ごとに抽出する。そして、管理データ抽出手段１４が、検査・測定機器１１ａ，１１ｂの測定結果を表す表示画像内の位置ごとに、その位置に表示される画像から管理データを抽出する方法を規定した抽出ルールに基づいて、抽出された表示画像から管理データを抽出する。よって、測定結果の表示態様が異なる機械や検査機、測定機器が混在する場合であっても、これらの機器に大幅な変更を加えることなく、測定データを収集する負担を軽減して、収集した測定データを統合的に管理できる。
【００７５】
例えば、映像信号を出力する装置とモニタとの間にキャプチャユニットを設ければ、モニタに出力される測定結果を画像として抽出できる。この画像に対して数値認識や文字認識などの画像処理を行うことで、統一したフォーマットでデータ管理することができる。すなわち、本実施形態によれば、ユーザが利用しやすいフォーマット（例えば、ＣＳＶ形式など）に統一されたデータを提供することができる。したがって、提供されるデータを、外部のパーソナルコンピュータからも読み取ることができる。なお、キャプチャとは、表示画面に表示された画像（映像）をデジタルデータ（画像データ）として取り込み、これを画像ファイルとして保存して、閲覧したり解析したりできるようにすることをいう。
【００７６】
また、検査・測定機器ごとに表示される表示画像を対象としてデータを抽出するため、数値やグラフ、ランプの点灯の有無やアナログ計器による結果表示など、様々な測定結果に対して柔軟に対応できる。
【００７７】
特に、測定結果をモニタに表示する機能のみ有する機器は、データを保存する手段や、外部の機器との通信手段を備えていないことが多い。しかし、本実施形態によれば、表示画像抽出手段によって測定結果の表示画像が抽出できるため、表示画像からデータを抽出することで、このデータも統合的に管理することが可能になる。
【００７８】
ここで、ガラス基板を製造する生産ラインに本実施形態のデータ管理システムを適用した場合の例を説明する。例えば、ガラス基板を製造する生産ラインに、表面粗さを測定する測定装置や、真円度を測定する測定装置などが既に設置されているとする。この場合、測定装置が表示する測定結果を表示画像として抽出できる装置を新たに設ける。
【００７９】
具体的には、各測定装置の測定結果がコンピュータ制御により表示される場合には、そのコンピュータにキャプチャボードを設ければよい。また、各測定装置が専用の表示装置に測定結果を表示している場合には、表示される測定結果を撮影するカメラを設ければよい。
【００８０】
そして、表示画像ごとに抽出ルールを定めておき、キャプチャボードやカメラによって抽出された測定結果を示す表示画像から、その抽出ルールに基づいて管理データを抽出すれば、各検査機や測定機器に大幅な変更を加えることなく、収集した測定データを統合的に管理できる。
【００８１】
次に、本実施形態のデータ管理システムの変形例を説明する。図１では、データ管理システムが異なる種類の検査・測定機器を対象として管理データを抽出する場合を例示しているが、対象とする検査・測定機器は、同じ種類であってもよい。
【００８２】
図１０は、同じ種類の検査・測定機器による測定結果を収集する構成の例を示す説明図である。図１０（ａ）は、モニタに表示される測定結果がそれぞれキャプチャされる場合を例示している。図１０（ｂ）は、表示された測定結果がそれぞれカメラで撮影される場合を例示している。
【００８３】
図１０（ａ）に示す例では、元データＡを示す映像信号が分岐装置１６ａで分岐され、一方の映像信号がモニタ（表示手段１２ａ）に送信されて測定結果が表示される。また、他方の映像信号がキャプチャ機能付きの画像処理ユニット１８に送信されると、画像処理ユニット１８が、管理データの抽出処理を行う。同様に、元データＢを示す映像信号が分岐装置１６ｂで分岐され、一方の映像信号がモニタ（表示手段１２ｂ）に送信されて測定結果が表示される。また、他方の映像信号がキャプチャ機能付きの画像処理ユニット１８に送信されると、画像処理ユニット１８が、管理データの抽出処理を行う。
【００８４】
このとき、画像処理ユニット１８は、入力されるチャネルごとに表示画像の種類を特定すればよい。画像処理ユニット１８は、抽出した管理データを、データベース２０などに記憶させる。なお、画像処理ユニットには、必要に応じて、抽出結果を表示するモニタが接続されていてもよい。
【００８５】
図１０（ｂ）に示す例では、元データＡを示す測定結果がカメラ（表示画像抽出手段１３ｂ）によって撮影され、画像処理ユニット１９に送信されると、画像処理ユニット１９が、管理データの抽出処理を行う。同様に、元データＢを示す測定結果がカメラ（表示画像抽出手段１３ｅ）によって撮影され、画像処理ユニット１９に送信されると、画像処理ユニット１９が、管理データの抽出処理を行う。
【００８６】
このとき、画像処理ユニット１９は、映像信号に含まれる表示画像識別情報に基づいて、表示画像の種類を特定すればよい。画像処理ユニット１９は、抽出した管理データを、データベース２０などに記憶させる。なお、画像処理ユニットには、必要に応じて、抽出結果を表示するモニタが接続されていてもよい。
【実施例】
【００８７】
以下、具体的な実施例により本発明を説明するが、本発明の範囲は以下に説明する内容に限定されない。図１１は、検査・測定機器に専用の測定結果出力モニタが接続されている場合の例を示す説明図である。なお、図１１に例示するキャプチャ画像処理ユニット３４が、上記実施形態の表示画像抽出手段および管理データ抽出手段に相当する。
【００８８】
検査・測定機器３１は、測定結果を表示するための映像信号を測定結果出力モニタ３２に送信する。その際、検査・測定機器３１と測定結果出力モニタ３２との間に設けられたＶＧＡスプリッタ３３によって映像信号が分岐され、一方の映像信号がキャプチャ画像処理ユニット３４に入力される。キャプチャ画像処理ユニット３４は、入力された映像信号から表示画像を抽出し、さらに、抽出ルールに基づいて抽出した表示画像から管理データを抽出する。キャプチャ画像処理ユニット３４は、抽出した管理データをサーバ３５内のメモリ（図示せず）等に記憶させる。サーバ３５に記憶された管理データは、コンピュータ３６等からアクセスされ、品質管理等に利用される。
【００８９】
なお、サーバ３５は、記憶された管理データを外部の装置に送信してもよい。図１２は、検査・測定機器に専用の測定結果出力モニタが接続されている場合の他の例を示す説明図である。図１２に例示するように、サーバ３５は、記憶された管理データをイーサネットスイッチャ３７を介して、イーサネット網３８に接続された他の装置（図示せず）に送信してもよい。また、サーバ３５は、記憶された管理データをイーサネットスイッチャ３７を介して、他のコンピュータ３６に送信するようにしてもよい。なお、イーサネットは登録商標である。
【産業上の利用可能性】
【００９０】
本発明は、機器により測定されたデータを管理するデータ管理システムに好適に適用される。例えば、本システムを製品の生産ラインに適用する場合、上述するように、製品を製造する機械（例えば、切断装置、研削装置、研磨装置、洗浄装置、など）、各工程の品質を検査する検査機、各工程の品質を測定する測定機器などが出力するデータを管理することができる。
【００９１】
本発明のデータ管理システムは、例えば、ガラス基板の製造工程にも適用できる。ガラス基板としては、磁気記録媒体用、フォトマスク用、液晶や有機ＥＬ等のディスプレイ用、光ピックアップ素子や光学フィルタ等の光学部品用などのガラス基板が具体的なものとして挙げられる。
【符号の説明】
【００９２】
１１ａ，１１ｂ，１１ｃ  検査・測定機器
１２ａ，１２ｂ，１２ｃ，１２ｄ，１２ｅ  表示手段
１３ａ，１３ｂ，１３ｃ，１３ｅ  表示画像抽出手段
１４  管理データ抽出手段
１５  抽出ルール記憶手段
１６  ＶＧＡスプリッタ
１６ａ，１６ｂ  分岐装置
１７  コンピュータ
１８，１９  画像処理ユニット
２０  データベース
３１  検査・測定機器
３２  測定結果出力モニタ
３３  ＶＧＡスプリッタ
３４  キャプチャ画像処理ユニット
３５  サーバ
３６  コンピュータ
３７  イーサネットスイッチャ
３８  イーサネット網
【図１】
2013161395.tif 000003
【図２】
2013161395.tif 000004
【図３】
2013161395.tif 000005
【図４】
2013161395.tif 000006
【図５】
2013161395.tif 000007
【図６】
2013161395.tif 000008
【図７】
2013161395.tif 000009
【図８】
2013161395.tif 000010
【図９】
2013161395.tif 000011
【図１０】
2013161395.tif 000012
【図１１】
2013161395.tif 000013
【図１２】
2013161395.tif 000014